(57)【特許請求の範囲】
【請求項１】
流し台の上面開口部から挿入し、流し台の前面開口部に加熱調理器の前面を臨ませ、前記前面開口部と前記加熱調理器の前面の隙間を覆うカバーを装着した加熱調理器であって、前記加熱調理器の前面と前記流し台との間に、締付けねじと固定金具を設け、前記締付けねじを締付けることで前記固定金具を上方に押し上げ、前記流し台を前記加熱調理器のフレームとで挟み込み、前記加熱調理器を固定するとともに、前記締付けねじが下方に倒れないようにねじ受け部を設け、前記ねじ受け部は前記締付けねじの頭部を支えることを特徴とする加熱調理器。
【請求項２】
請求項１に記載の加熱調理器において、前記締付けねじを締付けることで前記締付けねじの頭部が前記固定金具に当接される加熱調理器。
【請求項３】
請求項１または２に記載の加熱調理器において、前記締付けねじの頭部は前記加熱調理器の本体の外側に位置される加熱調理器。
【発明の詳細な説明】
【技術分野】
【０００１】
本発明は、流し台に組み込んで使用する組込式の加熱調理器に関するものである。
【背景技術】
【０００２】
流し台に組み込んで使用する組込式の加熱調理器として、特許文献１に記載のものがある。この加熱調理器は、調理器本体を流し台の上面開口部から挿入し、流し台の前面開口部に調理器本体の前部を臨ませるように設置するものである。
【０００３】
一般に、設置後、本体が移動しないよう本体後方、または、本体前面より本体に設けられる固定金具により固定する必要がある。そこで、特許文献１では、調理器の本体前面と流し台との間の奥まった位置で、ねじ締付により固定金具を上方に押し付け流し台を本体のフレームとで挟み込むことで、本体の横方向から荷重を受けた場合でもずれ抑制するようにしている。
【０００４】
従来の加熱調理器は、例えば、電磁誘導加熱用の加熱コイルを搭載するものにおいては、上面に位置する加熱部が左右の加熱コイルの他、中央奥側にも加熱コイルを設けているものもあり、これらの加熱手段を制御するインバータ制御部ユニットや、前記加熱コイルやインバータ制御部ユニットを冷却する冷却ファンとを具備し、本体の下方には、主に魚や肉類を加熱調理するロースタ部を設けている。これにより製品の本体重量は約２０〜３０ｋｇとなっている。
製品が横方向からの荷重を加えた場合、その摩擦力は、次の式で求められる。
Ｆ＝μＮ      Ｆ：摩擦力      μ：摩擦係数      Ｎ：垂直抗力
製品の本体重量を約２０ｋｇとした場合、本体フレームの裏面に貼付けるシリコン系パッキンの摩擦係数は０．５程度であり、製品本体の摩擦力は、以下のようになる。
Ｆ＝0.5 ×  20kg    ＝10kg
これに固定金具による締付力を加えることで、製品が横荷重を受けてもずれないようにしている。
【先行技術文献】
【特許文献】
【０００５】
【特許文献１】特開平７−２６９８８３号公報
【発明の概要】
【発明が解決しようとする課題】
【０００６】
このような重量のある加熱調理器を、キッチンに埋め込む場合、キッチンに傷などを付けず、設置するには、２名以上での作業が必要となるため、近年、本体重量の軽量化が望まれている。
【０００７】
しかし、製品の軽量化を行なうと、その摩擦力も前記の式より減少するため、確実に製品本体を固定するには、固定金具による締付力が安定して得られることが求められる。
【０００８】
特許文献１のような固定金具の場合、取付け金具の取付け面が本体奥側と略平行としているため、締付ねじにより、製品本体が前方に動いてしまうという課題があった。
【課題を解決するための手段】
【０００９】
上記の課題を解決するために、本発明は、流し台の上面開口部から挿入し、流し台の前面開口部に加熱調理器の前面を臨ませ、前記前面開口部と前記加熱調理器の前面の隙間を覆うカバーを装着した加熱調理器であって、前記加熱調理器の前面と前記流し台との間に、締付けねじと固定金具を設け、前記締付けねじを締付けることで前記固定金具を上方に押し上げ、前記流し台を前記加熱調理器のフレームとで挟み込み、前記加熱調理器を固定するとともに、前記締付けねじが下方に倒れないようにねじ受け部を設け、前記ねじ受け部は前記締付けねじの頭部を支えることを特徴とする。
【発明の効果】
【００１０】
本発明によれば、締付ねじによる締付力が固定金具に確実に伝わり、流し台に確実に固定することができる。
【図面の簡単な説明】
【００１１】
【図１】一実施例の組込式加熱調理器をシステムキッチンに収納した状態の斜視図。
【図２】同組込式加熱調理器のプレートを外した状態を示す説明図。
【図３】同組込式加熱調理器の側面から見た主要断面図。
【図４】同組込式加熱調理器をシステムキッチンに収納した状態の側面図。
【図５】同組込式加熱調理器の固定金具を締め付けた状態の拡大側面図。
【発明を実施するための形態】
【００１２】
以下、本発明の実施例を、キッチンに嵌め込むビルトイン型加熱調理器を例に、上記図面に従って説明する。
【００１３】
図１から図３において、加熱調理器の本体２は、流し台であるシステムキッチン１の上面から落とし込んで設置することで組み込まれる。本体２をシステムキッチン１の上面開口部から挿入しシステムキッチン１の前面に設けた前面開口部１ｂに本体前面２ｂを臨ませて設置する。
【００１４】
調理を行う被加熱物の鍋（図示せず）は、本体２の上面に配置された耐熱ガラス等からなり光を透過するプレート３の載置部６に載置されることで調理可能となる。
【００１５】
載置部６は、本体２上面のプレート３の上面手前に載置部右６ａと載置部左６ｂが配置され、これら両載置部６ａおよび６ｂの間の奥（中央後部）に載置部中央６ｃが配置されている。そして、プレート３を挟んで各載置部６の下に鍋を加熱するための後述する加熱コイルユニット２５がそれぞれ設置されている。配置は、載置部右６ａの下方には加熱コイルユニット右２５ａが、載置部左６ｂの下方には加熱コイルユニット左２５ｂが、載置部中央６ｃの下方には加熱ヒーター中央２６が設けられている。
【００１６】
プレート３の周囲端面には、プレート３を保護するためにフレーム１４が設けられている。
【００１７】
本体２の内部には、加熱手段である後述する加熱コイルユニット２５や制御回路を構成する電子部品が設けられており、該加熱コイルユニット２５や制御回路の後方には、これらを冷却するための送風ファン２０と、本体２の外部から空気を吸込むための吸気口７及び冷却後の排気を排出する排気口８が設けられている。
【００１８】
前記吸気口７で吸入した空気は、本体２の内部で発熱する後述する加熱コイルユニット２５や電子部品を冷却した後に排気口８から本体２外に排出される。
【００１９】
また、本体２の本体前面２ｂの左側には、魚やピザなどを焼くためのロースター４が設けられている。
【００２０】
また、本体２の本体前面２ｂの右側には、吸気口に繋がる空間としているが、前面パネルの内部に収納する操作部を設けたものでも良い。
【００２１】
次に、図２において被加熱物の鍋を加熱する加熱手段である加熱コイルについて説明する。
【００２２】
鍋（図示せず）を加熱するための加熱コイルユニット２５は、加熱コイル１３とコイルベース２４とフェライト（図示せず）から構成され、加熱コイル１３の略中央部の空間には、自動調理時など鍋の温度を検知する温度検知素子２１や、鍋から放射される赤外線を検知して鍋の温度を検知する赤外線センサー２２が取付けられている。
【００２３】
次に、図３において加熱コイル１３とインバータ基板の冷却について説明する。
【００２４】
インバータ基板は、左右の加熱コイル１３ａ、１３ｂを駆動するインバータ回路を搭載した左インバータ基板１８と右インバータ基板１９とで構成されている。
【００２５】
該左インバータ基板１８、右インバータ基板１９、は基板ケース２６上に配置され、電子部品で発熱した熱を効率よく送風ファン２０からの冷却風と熱交換して温度を下げるように放熱フィン２３が設けられている。
【００２６】
図１において、９は、加熱の設定などを操作する上面操作部９で、上面操作部９の奥側に加熱の設定などを表示する上面表示部１０を備える。
【００２７】
上面操作部９はプレート３の前面側に設けられ、載置部右６ａ、載置部中央６ｃ、載置部左６ｂに対応して右から、上面操作部右９ａ、上面操作部中央９ｃ、上面操作部左９ｂが配置されている。そして各上面操作部９の上側には上面表示部右１０ａ、上面表示部中央１０ｃ、上面表示部左１０ｂからなる上面表示部１０が設けられている。
【００２８】
図４から図５において、固定金具３０について説明する。
【００２９】
図４は、同組込式加熱調理器をシステムキッチンに収納した状態の側面図で、図５は、同組込式加熱調理器の固定金具３０を締め付けた状態の拡大側面図である。
【００３０】
図４、図５において、前記調理器のフレーム１４と、本体前面２ｂとは、略コの字状の構成となっている。前記システムキッチン１に本体を設置した際、前記略コの字の部分に前記システムキッチン１の前方部が収まるようになっている。この奥まった位置に、締付けねじ３１により固定金具３０を上方に押し付け、前記システムキッチン１を前記調理器のフレーム１４とで挟み込むことで、前記調理器を固定する固定金具３０が設けられている。
【００３１】
前記固定金具３０は略コの字状の下側角部を支点３２に前記締付けねじ３１を締め付けることで、締付けねじ３１の頭部が前記固定金具３０を押し上げる。押し上げられた固定金具３０は、システムキッチン１の裏面に押し当てられ、前記調理器のフレーム１４とで挟みこまれるが、締付けねじ３１の頭部と固定金具３０が斜めに当接するため、締付けねじ３１には、下方に荷重が加わる。
【００３２】
このときに締付けねじ３１が下方に傾かないよう締付けねじ３１の下方にねじ受け部３３を設けることで、締付けねじ３１の傾きが制限され、確実に固定金具３０に締付けねじ３１の頭部が当接し、固定金具３０の締付力がシステムキッチン１に加わり、製品本体の固定がされるようになる。
【００３３】
以上説明したように、本発明によれば、締付ねじによる締付力が固定金具に確実に伝わり、キッチンに確実に固定することができる。
【符号の説明】
【００３４】
１  システムキッチン
１ａ  上面開口部、  １ｂ  前面開口部
２  本体
２ａ  側面、２ｂ  本体前面、    ２ｃ  角穴
３  プレート
４  ロースター
７  吸気口
８  排気口
９  上面操作部
１０  上面表示部
１３  加熱コイル
１４  フレーム
１８  左インバータ基板
１９  右インバータ基板
２０  送風ファン
２１  温度検知素子
２２  赤外線センサー
２３  放熱フィン
２４  コイルベース
２５  加熱コイルユニット
２６  加熱ヒーター
３０  固定金具
３１  締付ねじ
３２  支点
３３  ねじ受け部
４７  前面カバー
【図１】
0006576877.tif 000002
【図２】
0006576877.tif 000003
【図３】
0006576877.tif 000004
【図４】
0006576877.tif 000005
【図５】
0006576877.tif 000006